(57)【特許請求の範囲】
【請求項１】
行状に配列した放電チャネルを備えたプラズマセルと、
列状に配列した信号電極を備え該放電チャネルとの交差部に画素を規定して画面を構成する液晶セルと、
互いに接合した両セルの間に介在する誘電体シートと、
該放電チャネルを該画面に渡って順次放電駆動し該誘電体シートを介して行毎に画素を選択する走査回路と、
該放電駆動に同期し且つ一画面分の画像データに基づいて該信号電極を駆動し選択された画素に信号電圧を書き込む信号回路とを備えたプラズマアドレス表示装置において、
該画像データに基づいて隣り合う信号電極間に生じる実効的な電位差を一行毎に算出しこれらを一画面に渡って積算する演算回路と、
積算結果に基づいて各信号電極に印加する信号電圧を補正し、隣り合う信号電極間の電位差に起因するクロストークを軽減する補正回路とを有することを特徴とするプラズマアドレス表示装置。
【請求項２】
前記演算回路は、該電位差を一行毎に算出しこれらを積算する為にラインメモリーを含んでいることを特徴とする請求項１記載のプラズマアドレス表示装置。
【請求項３】
前画面分の画像データに基づいて次画面分の信号電圧を補正する為、画像データの転送を一画面分遅らす遅延回路を備えていることを特徴とする請求項１記載のプラズマアドレス表示装置。
【請求項４】
当該画面の画像データに基づいて当該画面分の信号電圧を補正する為、一画面分の画像データを一時的に保持するフレームメモリーを含んでいることを特徴とする請求項１記載のプラズマアドレス表示装置。
【請求項５】
前記補正回路は、該積算結果に係数を乗じて補正値を求め、これを画像データに加算して補正された信号電圧を生成することを特徴とする請求項１記載のプラズマアドレス表示装置。
【請求項６】
前記補正回路は、液晶セルの透過率の信号電圧に対する非直線性を考慮して該係数を決定することを特徴とする請求項５記載のプラズマアドレス表示装置。
【請求項７】
前記補正回路は、人間の目の視感度を考慮して該係数を決定することを特徴とする請求項５記載のプラズマアドレス表示装置。
【請求項８】
前記補正回路は、該積算結果に対応づけた補正値を予めテーブルデータとして書き込んだメモリーを備えていることを特徴とする請求項５記載のプラズマアドレス表示装置。
【請求項９】
前記信号回路は、補正により変動する信号電圧の範囲を見越して、予め通常に使用する信号電圧の幅を狭めておくことを特徴とする請求項１記載のプラズマアドレス表示装置。
【発明の詳細な説明】
【０００１】
【発明の属する技術分野】
本発明は中間の誘電体シートを介して液晶セルとプラズマセルとを重ねたフラットパネル構造を有するプラズマアドレス表示装置に関する。より詳しくは、プラズマアドレス表示装置のクロストーク防止技術に関する。
【０００２】
【従来の技術】
プラズマアドレス表示パネルは、例えば特開平１−２１７３９６号公報に開示されており、図８にその構造を示す。プラズマアドレス表示パネルは液晶セル１０１とプラズマセル１０２を薄板ガラス等からなる誘電体シート１０７を介して重ねたフラット構造を有している。プラズマセル１０２は下側のガラス基板１０４を用いて形成されており、所定の空間を介して誘電体シート１０７に気密接合されている。気密封止された空間にはイオン化可能なガスが封入されている。下側のガラス板１０４の内表面には互いに平行な一対の放電電極１０８，１０９が複数個設けられている。一対の放電電極１０８，１０９は気密封止されたガスをイオン化しプラズマ放電を発生する為のアノード及びカソードとして機能し、放電チャネルを形成する。一方、液晶セル１０１は誘電体シート１０７と上側のガラス基板１０３とによって挟持された液晶層１０６を備えている。上側基板１０３の内表面にはストライプ状の信号電極１０５が形成されている。この信号電極１０５は前述した放電チャネルと直交している。信号電極１０５が列駆動単位となり、放電チャネルが行走査単位となって両者の交差部分に行列状の画素が規定される。行列状の画素の集合により画面が構成される。
【０００３】
次に、図９を参照して図８に示したプラズマアドレス表示パネルの動作原理を簡潔に説明する。このパネルでは、プラズマ放電が行なわれる放電チャネルを画面に渡って線順次で選択走査するとともに、液晶セル側の信号電極１０５に対して該選択走査と同期して信号電圧を印加することにより所望の画像を表示する。この為、プラズマセル側には走査回路２０１が接続され、液晶セル側には信号回路２０２が接続されている。アノードＡとカソードＫからなる放電チャネルにプラズマ放電が発生するとその内部は略アノード電位に維持される。この状態で信号電極１０５に信号電圧を印加すると誘電体シート１０７を介して各画素の液晶層１０６に信号電極が書き込まれる。プラズマ放電が終了すると放電チャネルは浮遊電位となり書き込まれた信号電圧が各画素に保持される。所謂サンプリングが行なわれており、放電チャネルはサンプリングスイッチとして機能する一方、液晶層１０６はサンプリングキャパシタとして機能する。サンプリングされた信号電圧に応じて液晶の透過率が変化し、プラズマアドレス表示パネルの点灯及び消灯が画素単位で行なわれる。
【０００４】
【発明が解決しようとする課題】
図１０は、液晶セル１０１側の基板１０３の内表面に形成された信号電極１０５の部分のみを取り出して模式的に示したものである。カラーのプラズマアドレス表示パネルを作成する際には、カラーフィルタを信号電極１０５の上又は下に配置するが、図では省略している。但し、説明の為に各信号電極１０５に割り当てられる色をＲｅｄ，Ｇｒｅｅｎ，Ｂｌｕｅで表わしている。今、ノーマリホワイトモードにおいて、シアン色を表示する場合、図示するようにＲｅｄが割り当てられた信号電極に例えば＋７０Ｖの信号電圧を印加し黒表示を書き込むことでシアン色の表示を実現できる。この時、隣接するＢｌｕｅとＧｒｅｅｎが割り当てられた信号電極に対しては、図示の矢印のような横方向電界が印加されることになる。従って、Ｒｅｄの信号電極とＢｌｕｅの信号電極、及びＲｅｄの信号電極とＧｒｅｅｎの信号電極の間にある液晶は概略横方向の電界を受けてその分子の向きを変えることになる。これらをクロストークと呼んでいる。この部分の液晶は本来の表示に不要な部分であるので、通常の場合はカラーフィルタ部分にブラックマスクを配することで視野から遮閉するようにしている。ところが、プラズマアドレス表示パネルの場合は誘電体シート１０７（図８及び図９参照）を介して液晶に電界を印加する為、各信号電極１０５に印加する信号電圧が高く設定されている。この為、クロストーク量は通常のアクティブマトリクス型液晶表示パネル等に比べ非常に大きくなる。従って、隣り合う信号電極間のギャップ部分のみならず有効な信号電極端部迄にも横方向電界の影響が及んでしまう。この影響をブラックマスクで覆うことになると、かなりの入射光量が遮られることになり、表示に必要な光量を確保することができなくなってしまう。このようにクロストークは信号電圧の漏れに起因することから、液晶の印加電圧／透過率特性において傾きの急な部分即ち印加電圧に敏感な領域（この時の電圧を中間調電圧と呼ぶ）で駆動するグレイ表示の際にクロストークが顕著に現われる。
【０００５】
図１１に示すように、シアン色の背景にグレーの横帯を画面上に表示する場合、画面の上から順番に走査が始まり、先ずシアン色が書き込まれていく。この時点で信号電極間に位置する液晶はかなりの横方向電界を受ける。次に、グレーの帯を書き込む期間はＢｌｕｅ，Ｒｅｄ，Ｇｒｅｅｎの三色共に同じような中間調電圧が印加されるから、横方向には電界がかからない。更に、走査は進みシアン色が書き込まれ一画面が映し出される。液晶は印加した電圧の実効値で動作する為、このような画面が表示された場合、大部分をシアン色で駆動していたことにより、隣接する信号電極間及び信号電極端部に位置する液晶は分子の向きを変えてしまう。従って、グレーの帯の部分には本来表示したい色（グレー）とは異なった表示がなされる。従来のプラズマアドレス表示パネルでは、多数本の信号電極が狭い間隔で配列されている。入射光の透過率を向上させる為信号電極間の隙間は狭いほど良い。ところが、狭くすればするほど隣り合う信号電極間においてクロストークと呼ばれる電圧の漏れ現象が現われる。この現象により色の再現性が落ちるのは勿論、パーソナルコンピュータのモニター画面等でウィンドウを表示させる場合に、ウィンドウ枠の上下に筋状の色変化が生じる。プラズマアドレス表示パネルはその構造上、薄膜トランジスタ等を用いたアクティブマトリクス型の液晶表示パネルに比べ十数倍以上の液晶駆動電圧を印加しなければならない。この為、クロストークの量もアクティブマトリクス型の液晶表示パネルに比べると非常に大きく、表示品位を落とす原因となっており、解決すべき課題である。
【０００６】
図１２を参照してクロストークに就き更に説明を加える。尚、理解を容易にする為、図１２に示したプラズマアドレス表示パネルの各部分には図８に示したプラズマアドレス表示パネルと対応する参照番号を付してある。信号電極１０５に印加する信号電圧は液晶層１０６の印加電圧／透過率特性を基に各画素の画像データに従って決定される。例えば、プラズマアドレス表示パネルがノーマリホワイトモードで駆動される場合、画面全体に渡って単緑色を表示する時には、カラーフィルタ１５０によってＧｒｅｅｎの割り当てられた信号電極に対し約２０Ｖの信号電圧を印加する。Ｒｅｄ及びＢｌｕｅの割り当てられた隣りの信号電極には約８０Ｖの信号電圧が印加される。この信号電圧は選択した放電チャネル１３０のライン以外のタイミングでも印加される為、矢印で示すように横方向の漏れ電界が発生する。この漏れ電界により、画素に印加される信号電圧の実効値は画素の透過率を下げる方向に影響を及ぼす。この為表示しようとする緑色の透過率は低下する。
【０００７】
又、別の例として図１３に示すように画面１７０上で白地の背景に緑色のウィンドウを表示する場合を挙げる。前述と同様の影響がウィンドウの上下に位置する白地背景の部分にも現われ、その輝度を低下させる。特に、この場合Ｇｒｅｅｎの割り当てられた信号電極は両側から影響を受けるのに対し、Ｒｅｄ及びＢｌｕｅの割り当てられた信号電極は同電圧である為、片側のＧｒｅｅｎの割り当てられた信号電極のみからの影響だけである。この為、ウィンドウの上下に位置する白表示部分は各色の透過率の低下度合いが異なり、色付きを伴う輝度低下が現われる。
【０００８】
【課題を解決するための手段】
上述した従来の技術の課題を解決する為に以下の手段を講じた。即ち、本発明にかかるプラズマアドレス表示装置は基本的な構成としてプラズマセルと液晶セルと誘電体シートと走査回路と信号回路とを備えている。プラズマセルは行状に配列した放電チャネルを備えている。液晶セルは列状に配列した信号電極を備え該放電チャネルとの交差部に画素を規定して画面を構成する。誘電体シートは互いに接合した両セルの間に介在する。走査回路は該放電チャネルを該画面に渡って順次放電駆動し該誘電体シートを介して行毎に画素を選択する。信号回路は該放電駆動に同期し且つ一画面の画像データに基づいて該信号電極を駆動し選択された画素に信号電圧を書き込む。特徴事項として、演算回路と補正回路とを備えている。演算回路は該画像データに基づいて隣り合う信号電極間に生じる実効的な電位差を一行毎に算出しこれらを一画面に渡って積算する。補正回路は積算結果に基づいて各信号電極に印加する信号電圧を補正し、隣り合う信号電極間の電位差に起因するクロストークを軽減する。以下、いくつかの実施態様を記載する。前記演算回路は該電位差を一行毎に算出しこれらを積算する為にラインメモリーを含んでいる。前画面分の画像データに基づいて次画面分の信号電圧を補正する為、画像データの転送を一画面分遅らす遅延回路を設けてもよい。或いは、当該画面の画像データに基づいて当該画面分の信号電圧を補正する為、一画面分の画像データを一時的に保持するフレームメモリーを設けてもよい。前記補正回路は該積算結果に係数を乗じて補正値を求め、これを画像データに加算して補正された信号電圧を生成する。前記補正回路は液晶セルの透過率の信号電圧に対する非直線性を考慮して該係数を決定する。或いは、前記補正回路は人間の目の視感度を考慮して該係数を決定する。前記補正回路は該積算結果に対応づけた補正値を予めテーブルデータとして書き込んだメモリーを備えるようにしてもよい。前記信号回路は補正により変動する信号電圧の範囲を見越して、予め通常に使用する信号電圧の幅を狭めておくようにしてもよい。
【０００９】
本発明によれば、一画面分の画像データに基づいて、生じ得るクロストーク量を予め計算し、例えば次の画面にフィードバックして補正をかけている。即ち、一画面の画像データ（フレーム情報）を基に各信号電極間に生じる電位差を夫々の信号電極について積分計算し、実効値を算出する。その実効値量に適当な係数を乗じて補正値とし、次の画面の画像データに加算して信号電圧を補正する。本発明にかかるプラズマアドレス表示装置は、一画面即ち一フレームを構成する画像データを保持するフレームメモリーを備えている。この画像データにより各信号電極に印加する信号電圧を決定する。この場合、各信号電極とそれに隣接する信号電極との間に発生する電位差の実効値を一フレーム期間に渡り計算している。これにより、各信号電極に固有の隣接信号電極からの影響を検知する。この結果に基づき各画素に割り当てられる画像データを隣接信号電極からの影響を考慮した上で補正し、実際に信号電極に印加する信号電圧を決定する。
【００１０】
【発明の実施の形態】
以下図面を参照して本発明の最良な実施形態を詳細に説明する。図１は、本発明にかかるプラズマアドレス表示装置の基本的な構成を示すブロック図である。本プラズマアドレス表示装置は基本的な構成として、パネル１と走査回路２と信号回路３とを備えている。パネル１は液晶セルとプラズマセルを互いに重ねた積層構造を有し、基本的には図８に示した通りである。即ち、液晶セルとプラズマセルとの間には薄板ガラスなどからなる誘電体シートが介在している。液晶セルは列状の信号電極４を有する一方、プラズマセルは行状の放電チャネル５を備えている。放電チャネル５はアノード電極Ａとカソード電極Ｋの対から構成されている。信号電極４と放電チャネル５の交差部に画素６が規定される。画素６は行列状に配置し画面を構成する。走査回路２は該画面に渡って放電チャネル５を順次放電駆動し、誘電体シートを介して行毎に画素６を選択する。信号回路３は該放電駆動に同期し且つ一画面分の画像データに基づいて信号電極４を駆動し選択された画素に信号電圧を書き込む。走査回路２及び信号回路３には同期回路７が接続されており、両者の同期をとる為に必要な同期信号を発生する。
【００１１】
本発明の特徴事項として、演算回路８及び補正回路９が信号回路３に接続されている。演算回路８は画像データに基づいて隣り合う信号電極４間に生じる実効的な電位差を一行毎に算出しこれを一画面に渡って積算する。補正回路９は積算結果に基づいて各信号電極４に印加する信号電圧を補正し、隣り合う信号電極４間の電位差に起因するクロストークを軽減する。演算回路８は電位差を一行毎に算出しこれらを積算する為にラインメモリーを含んでいる。場合によっては、前画面分の画像データに基づいて次画面分の信号電圧を補正する為、画像データの転送を一画面分遅らす遅延回路を設けてもよい。或いは、当該画面の画像データに基づいて当該画面分の信号電圧を補正する為、一画面分の画像データを一時的に保持するフレームメモリーを設けてもよい。補正回路９は積算結果に係数を乗じて補正値を求め、これを画像データに加算して補正された信号電圧を生成する。補正回路９は液晶セルの透過率の信号電圧に対する非直線性を考慮して該係数を決定する。或いは、補正回路９は人間の目の視感度を考慮して該係数を決定するようにしてもよい。補正回路９は積算結果に対応づけた補正値を予めテーブルデータとして書き込んだメモリーを備えるようにしてもよい。信号回路３は補正により変動する信号電圧の範囲を見越して、予め通常に使用する信号電圧の幅を狭めておく。
【００１２】
図２は、図１に示した演算回路８及び補正回路９の具体的な構成例を示すブロック図である。本構成例は差分検出器１１、積分器１２、乗算器１３、遅延回路（＋１Ｖ）１４、加算器１５を備えている。このうち、差分検出器１１及び積分器１２が図１の演算回路８を構成し、乗算器１３及び加算器１５が図１の補正回路９を構成している。先ず、差分検出器１１によって各信号電極が両隣りの信号電極から受ける電界量を入力信号（画像データ）に基づいて演算し検出する。次に、積分器１２で各信号電極分のデータを蓄積する。蓄積された差分データに対し乗算器１３で特定の係数を掛け合わせて補正値を作成する。最後に、遅延回路１４によって一フレーム分（１Ｖ）遅れた画面（即ち次の画面）の画像データに補正値を加算器１５で足し合わせる。積分器１２は一つのラインメモリーと書き込み／読み出し制御用のコントローラで構成できる。原理的には、一画面全体を記録するフレームメモリーを用いて細かく補正することも可能である。しかしながら、本実施形態ではラインメモリーを用いることで演算回路が簡単な構成となり安価に製作することができる。コンピュータ上のシミュレーションで擬似的に計算した結果、係数を固定値に設定した場合でもかなり効率よくクロストークを補正できることが確認できた。
【００１３】
補正係数は上述の通り固定値でもかなりのレベルでクロストークを補正することが可能である。しかしながら、実際の液晶は図３に示すような非線形の印加電圧Ｖ／光透過率Ｔ特性を有している。この為、固定化した値の電圧補正を施すと、補正の効きが大きい部分と小さい部分が存在することになる。つまり、印加電圧に対して感度の高いカーブの急な中間調レベル付近では、補正した電圧により大きく変調されるが、感度の低いカーブの緩やかな飽和レベルでは変調の度合いが小さい。クロストークの量自体も印加電圧Ｖ／光透過率Ｔ特性により変動する為、実際の表示ではかなり複合的な電圧が印加されている。従って、単純な固定の補正係数を用いた計算ではスムーズな補正が施せない場合がある。そこで、非補正情報つまり「次のフレームの信号電極のＶ／Ｔ特性上の位置」に応じた補正係数を使うことで、より効果的なクロストークの補正を行なうことが可能となる。
【００１４】
人間の視覚特性は明るさに対して感度が高い為、輝度に貢献する緑色の変動は目立ち易い傾向にある。従って、補正係数は強調等の手段によって緑色に関して精度よく算出することが望ましい。又、補正により表示される色調が変化することは好ましくない。そこで、非補正情報の視感度特性に応じて補正係数を算出することにより、より忠実な色再現が可能になる。
【００１５】
上述した補正係数は変動するとは云え、両隣りの信号電極との電位差が分っていれば計算可能な値である。従って、固定値の場合は勿論、変動値でさえも予め補正係数をＲＯＭやＲＡＭのようなメモリーに記憶させてテーブルを作成し、表示の際にテーブルを参照する方式で高速な信号処理を実現することができる。
【００１６】
図４の（Ａ）に示すように、画素データによっては補正計算結果が「存在しないＶ／Ｔ特性の負の値」として求められる場合も生じ得る。そこで、図４の（Ｂ）に示すように、補正しない場合に用いる信号電圧の範囲を予め狭めておく。当然ながら、この印加電圧範囲でも十分画像を表示することができるものとする。このようにすれば、たとえ補正値が負の値であっても加算後の値はＶ／Ｔ特性のカーブ上で正の値として算出できる。当然、この場合の補正値の量は加算後の値が０以上になる範囲で設定する。
【００１７】
図５は、プラズマアドレス表示装置の別の実施形態を示すブロック図である。この実施形態はフレームメモリー２１と隣接電極間電圧演算回路２２と補正用ラインメモリー２３とデータ補正回路２４とを含んでいる。フレームメモリー２１はＲｅｄ，Ｇｒｅｅｎ，Ｂｌｕｅに分かれた画像データを受け入れる。データ補正回路２４は信号回路３に接続されている。尚、隣接電極間電圧演算回路２２は別のラインメモリーを含んでおり、図１に示した演算回路８に対応している。又、データ補正回路２４は図１に示した補正回路９に対応している。先ず、画像データを順次フレームメモリー２１に書き込む。この際、一行（一ライン）のデータを取り込む毎に、隣接信号電極間の画像データの差を各信号電極毎に計算して、隣接電極間電圧演算回路２２に内蔵されたラインメモリーに書き込む。この時、個々の画像データ毎に夫々の差を計算した後それを足し合わせて二乗演算を行なう。更に、一ライン前のラインメモリーの内容をこれに加算して再びラインメモリーに書き込む。これを順次繰り返して一フレーム分の画像データがフレームメモリー２１に書き込まれたら、隣接電極間電圧演算回路２２に内蔵されたラインメモリーの内容を、補正用ラインメモリー２３に転送する。次のフレームの画像データを書き込む際、現在書かれている画像データの内容を順次データ補正回路２４に読み出し、各信号電極毎に計算した隣接信号電極との間の実効的な電位差を基に補正を行ない、実際に信号電極に出力する信号電圧の値を決定する。
【００１８】
図６は、図５に示した隣接電極間電圧演算回路２２の具体的な構成を示している。この演算回路はラインメモリー２５と１色につき４個の加算器と１個の二乗器を備えている。例えばｎ番目の赤色画素に割り当てられる画像データＲｎに着目した場合、Ｂｎ−１及びＧｎとの差を夫々計算する。（Ｒｎ−Ｂｎ−１）及び（Ｇｎ−Ｒｎ）を足し合わせた後その結果を二乗演算する。更に、一行前のラインメモリー２５の記録内容Ｒｎを二乗演算結果に加算して再びラインメモリー２５の同一アドレスに書き込む。このようにして、画像データに基づき隣り合う信号電極間に生じる実効的な電位差を一行毎に算出しこれを一画面に渡って積算している。同様に、画像データＧｎについても先ず（Ｇｎ−Ｒｎ）及び（Ｂｎ−Ｇｎ）を計算し、これらを足し合わせた後、二乗演算する。この二乗演算結果を一行前の画像データＧｎと加算しラインメモリー２５の同一アドレス上に格納する。
【００１９】
最後に図７を参照して、図５に示したデータ補正回路２４における実際の補正方法を説明する。図７は液晶セルの印加電圧／透過率特性を示すグラフである。通常の場合の駆動点はこのグラフの黒点を基準とした破線で示した範囲である。ところが前述したようにクロストークが発生するような表示内容では１００％の透過率では無くなる。クロストークによって最も下がった場合の透過率を新たに最大の白レベルと決める。クロストークの発生しないような画像データの場合、補正値用ラインメモリー２３（図５参照）には大旨０が書かれている。このような信号電極上にある白表示部分はＡ点の透過率を有するが、補正を行ないＢ点の透過率になるようなデータを信号回路３（図５参照）に送出する。又、この補正値用ラインメモリー２３の値が最大になっているような場合の信号電極上の白表示部は、既にクロストークにより大旨Ｂ点の透過率になっているので補正を行なわない。実際にはクロストーク量により白表示だけではなく色表示や中間調の表示の部分も輝度が変化するが、同様の方法で透過率が一定になるようにデータを補正して信号回路３に出力することが可能である。信号回路３に送るデータは補正値用ラインメモリー２３の内容とフレームメモリー２１から読み出された内容とで決定する。これはクロストークの見え方が表示輝度により異なる為である。しかし、実際にはクロストーク量によっては簡易的にフレームメモリー２１から読み出された内容に関係なく補正値用ラインメモリー２３の内容により一定量の補正を行なっても良い。
【００２０】
【発明の効果】
以上説明したように、本発明によれば、一本の信号電極に着目した時、それに隣接する他の信号電極が及ぼす横方向電界の影響を逆算して補正をかけることにより、クロストークと呼ばれる色再現性の不良を軽減することができる。又、ラインメモリーのような安価な素子の採用でコストや処理スピードの面から効率的なアプローチが可能となる。更に、補正係数を予め記憶させておくことにより、高速な処理が可能となる。かかる構成により、例えば色付きのウィンドウを表示する際、ウィンドウ上下部でのクロストークを軽減でき画質を向上することが可能になる。
【図面の簡単な説明】
【図１】本発明にかかるプラズマアドレス表示装置の基本的な構成を示すブロック図である。
【図２】本発明にかかるプラズマアドレス表示装置の第１実施形態を示すブロック図である。
【図３】図２に示した第１実施形態の動作説明に供する透過率／印加電圧特性グラフである。
【図４】同じく図２に示した実施形態の動作説明に供する光透過率／印加電圧特性グラフである。
【図５】本発明にかかるプラズマアドレス表示装置の第２実施形態を示すブロック図である。
【図６】図５に示した実施形態に含まれる隣接電極間電圧演算回路の具体的な構成を示すブロック図である。
【図７】図５に示した実施形態の動作説明に供する印加電圧／透過率特性を示すグラフである。
【図８】従来のプラズマアドレス表示装置の一般的な構成を示す斜視図である。
【図９】同じく従来のプラズマアドレス表示装置の回路構成を示すブロック図である。
【図１０】従来のプラズマアドレス表示装置の課題説明に供する模式図である。
【図１１】同じく課題説明に供する模式図である。
【図１２】同じく課題説明に供する模式図である。
【図１３】同じく課題説明に供する模式図である。
【符号の説明】
１…パネル、２…走査回路、３…信号回路、４…信号電極、５…放電チャネル、６…画素、７…同期回路、８…演算回路、９…補正回路
【図１】
0003629867.tif 000002
【図２】
0003629867.tif 000003
【図３】
0003629867.tif 000004
【図４】
0003629867.tif 000005
【図５】
0003629867.tif 000006
【図６】
0003629867.tif 000007
【図７】
0003629867.tif 000008
【図８】
0003629867.tif 000009
【図９】
0003629867.tif 000010
【図１０】
0003629867.tif 000011
【図１１】
0003629867.tif 000012
【図１２】
0003629867.tif 000013
【図１３】
0003629867.tif 000014